(57)【要約】【課題】放熱フィンで暖められた空気の熱を箱体内部の熱的に弱い電気部品に伝わるのを防止できるようにした電力変換装置を提供する。【解決手段】直方体形状の箱体１の内部は、隔壁２７により少なくとも前室および後室の２つ以上に分割され、分割されたそれぞれの室に各種電気部品２６ａ〜２６ｄが配置される。押し込み冷却ファン１８は分割された室へ個別に取り込んだ空気を押し込む。プリント基板２８に実装された半導体素子１０は、放熱フィン１６に取り付けられる。冷却ファン１８より押し込まれた空気（冷気）は、絶縁体から成る隔壁により、電気部品２６b〜dに風が当たらないように、遮蔽を行うようにしている。【選択図】図２
2016046928.tif 000002
【特許請求の範囲】
【請求項１】
直方体の箱体に半導体素子が放熱フィンに取り付けられて押し込み冷却ファンが設けられている前面側に収納されるとともに、前面側カバーに箱体と同等の高さの前記押し込み冷却ファンにより、内部に空気を押し込み、箱体の背面側より排出する前記半導体素子を冷却する電力変換装置において、
前記放熱フィンの高さにあわせて隔壁が設けられ、該隔壁は絶縁体より構成されていることを特徴とする電力変換装置。
【請求項２】
前記隔壁は、前記押し込み冷却ファンにより押し込まれた空気が、前記放熱フィンを通過した後、発熱量の大きい電気部品に取り付けられた二次放熱フィンに対して、前記隔壁の一部に絞り込み部を設けていることを特徴とする請求項１に記載の電力変換装置。
【請求項３】
前記隔壁は、少なくとも熱絶縁性を有する薄い絶縁シートより構成されていることを特徴とする請求項１または２に記載の電力変換装置。
【請求項４】
前記箱体の前室側に配置された前記半導体素子が放出する熱の温度は、前記箱体の後室側に配置された前記電気部品が放出する熱の温度よりも高いことを特徴とする請求項１または２に記載の電力変換装置。
【請求項５】
前記半導体素子は、炭化ケイ素、窒化ガリウムもしくはダイアモンドを主材料とする高耐熱性を有するワイドバンドギャップ半導体素子であることを特徴とする請求項１ないし４のいずれか一項に記載の電力変換装置。
【発明の詳細な説明】
【技術分野】
【０００１】
本発明は、電力変換装置に関し、特に半導体素子が例えばＳｉＣ（炭化ケイ素）を用いて構成されたＳｉＣパッケージ適用ユニットを冷却するための構造に関する。
【背景技術】
【０００２】
図５および図６は、下記特許文献１に記載されている従来の電力変換装置（例．インバータ装置）の冷却構造を示す縦断面図である。図５に示されるように、従来の電力変換装置の冷却構造は、段差部４４が放熱フィン４６の下側に設けられ、放熱フィン４６と排気冷却ファン４７との間における隔壁３７を平坦に形成するとともに、放熱フィン４６の先端と箱体３１の背面カバー３３との間に、放熱フィン４６と排気冷却ファン４７との高さの差を埋める絞り板４８を設けるようにしている。絞り板４８は高さＨの空間を冷却風がバイパスすることを防止し、放熱フィン４６を通過する冷却風の風速を上昇させる機能をもっている。放熱フィン４６と冷却ファン４７との間で隔壁３７が平坦に形成されているので、冷却ファン４７で冷却風を吸い込む際のフィンベース４６ａ側の流体抵抗が減少し、フィン４６ｂの付け根付近の流速が上昇する。その結果、高温のフィン付け根側が有効に除熱される構成になっている。
【０００３】
また、図６に示される従来の電力変換装置の他の冷却構造は、隔壁３７により放熱フィン４６と排気冷却ファン４７との間に、放熱フィン４６とフィンベース４６ａと隔壁３７との段差部４４を解消する導風板４９を個別に設けるようにしている。鋼板から図示断面形状に折り曲げ形成された導風板４９は、フィンベース４６ａのフィン接合面から冷却ファン４７の手前まで緩やかに下降し、段差部ｈによる冷却ファン直後の流路断面積の急拡大を解消するようにして、段差部ｈによる圧力損失を低減する。
【先行技術文献】
【特許文献】
【０００４】
【特許文献１】特開２００５−３４８５３３号公報（図１、図３）
【発明の概要】
【発明が解決しようとする課題】
【０００５】
上記した従来の電力変換装置は、排気冷却ファンを使って熱を排気する方式であるが、排気冷却ファンを使用しているため、箱体内部の静圧が低くなり、箱体のあらゆる隙間から空気と一緒に塵埃を吸ってしまうという課題があった。
【０００６】
また、従来の電力変換装置の隔壁は箱体の一部であり、この隔壁は放熱フィンを支持しているが、放熱フィンの熱を箱体内部に導いてしまい、放熱フィンと反対側に位置する室の内気が上昇し、その区画室に配置された電気部品に熱を加えてしまうため電気部品の故障や寿命低下を招くという課題があった。
【０００７】
そこで本発明の目的は、放熱フィンで暖められた空気の熱を箱体内部の熱的に弱い電気部品に伝わるのを防止できるようにした電力変換装置を提供することである。
【課題を解決するための手段】
【０００８】
放熱フィンの高さに調整された絶縁体より成る隔壁を設ける。さらに、この絶縁体より成る隔壁は、（一次）放熱フィンを通過した後の発熱量の大きい電気部品に取り付けられた二次放熱フィンに対して、前記絶縁体の一部に絞り込み部を設けるようにする。
【０００９】
より具体的に示せば請求項１記載の発明は、直方体の箱体に半導体素子が放熱フィンに取り付けられて押し込み冷却ファンが設けられている前面側に収納されるとともに、前面側カバーに箱体と同等の高さの前記押し込み冷却ファンにより、内部に空気を押し込み、箱体の背面側より排出する前記半導体素子を冷却する電力変換装置において、前記放熱フィンの高さにあわせて隔壁が設けられ、該隔壁は絶縁体より構成されていることを特徴とする。
【００１０】
また請求項２記載の発明は、請求項１記載の発明において、前記隔壁は、前記押し込み冷却ファンにより押し込まれた空気が、前記放熱フィンを通過した後、発熱量の大きい電気部品に取り付けられた二次放熱フィンに対して、前記隔壁の一部に絞り込み部を設けていることを特徴とする。
【００１１】
また請求項３記載の発明は、請求項１または２記載の発明において、前記隔壁は、少なくとも熱絶縁性を有する薄い絶縁シートより構成されていることを特徴とする。
また請求項４記載の発明は、請求項１または２記載の発明において、前記箱体の前室側に配置された前記半導体素子が放出する熱の温度は、前記箱体の後室側に配置された前記電気部品が放出する熱の温度よりも高いことを特徴とする。
【００１２】
また請求項５記載の発明は、請求項１ないし請求項４のいずれかに記載の発明において、前記半導体素子は、炭化ケイ素、窒化ガリウムもしくはダイアモンドを主材料とする高耐熱性を有するワイドバンドギャップ半導体素子であることを特徴とする。
【発明の効果】
【００１３】
本発明の電力変換装置によれば、放熱フィンの高さにあわせた隔壁を設けることができるので、放熱フィンで暖められた空気の熱を箱体内部の熱的に弱い電気部品に伝わるのを防止できる。
【００１４】
さらに、隔壁の一部に絞込み部を設けることで、押し込み冷却ファンにより押し込まれた空気が、放熱フィンを通過した後、発熱量の大きい電気部品に取り付けられた二次放熱フィンに対して、風速を上げられることで放熱性を良好にすることができる。
【００１５】
また上記の隔壁を薄い絶縁シートより構成しているので、該絶縁シートの加工が容易であり、加工が容易な絶縁体を使うことで熱絶縁もできるため、板金などで製作された従来の隔壁とは違い、熱遮蔽の効果が大きい。特に前記絶縁体の一部に絞り込みを入れる加工も、簡単な型で製作可能であり、コスト削減にもなる。
【図面の簡単な説明】
【００１６】
【図１】本発明の実施形態に係る電力変換装置の構成を示す斜視図である。
【図２】本発明の実施形態に係る電力変換装置の構成を示す平面図である。
【図３】本発明の実施形態に係る電力変換装置の構成例を示す断面図（その１）である。
【図４】本発明の実施形態に係る電力変換装置の構成例を示す断面図（その２）である。
【図５】従来の電力変換装置の構成例を示す縦断面図である。
【図６】従来の電力変換装置の他の構成例を示す縦断面図である。
【発明を実施するための形態】
【００１７】
以下、本発明の実施の形態について、詳細に説明する。
図１は、本発明の実施形態に係る電力変換装置の構成を示す斜視図であり、直方体形状の箱体１の前面カバー２に押し込み冷却ファン１８が配置されるとともに、直方体形状の箱体１に側面カバー６を取り付ける。そうして押し込み冷却ファン１８を介して取り込んだ空気（冷気）は背面カバー３側に排気される。
【００１８】
図２は、本発明の実施形態に係る電力変換装置の構成を示す平面図である。図２において直方体形状の箱体１の内部は、隔壁２７により少なくとも前室および後室の２つ以上に分割され、分割されたそれぞれの室に各種電気部品２６ａ〜２６ｄが配置される。押し込み冷却ファン１８より取り込まれた空気は、分割された内部の室に個別に押し込まれる。プリント基板２８に実装された半導体素子１０は、前室の放熱フィン１６(図３および図４参照)上に取り付けられる。ここでプリント基板２８に実装される半導体素子１０は、本例ではＳｉＣ（炭化ケイ素）を用いて構成されたＳｉＣ半導体素子であるとして説明する。その一方、押し込み冷却ファン１８により押し込まれた空気は、絶縁体から成る隔壁７(図３および図４参照)により、電気部品２６b〜dに風が当たらないように、遮蔽している。
【００１９】
さらに、隔壁７の一部に絞込み部８を設けることで、押し込み冷却ファン１８より押し込まれた空気(冷気)が、放熱フィン１６を通過した後、発熱量の大きい電気部品２６ｄに取り付けられた二次放熱フィン１７に対して、風速を上げられることで放熱性を良好にすることができる(図３および図４参照)。
【００２０】
また隔壁７を薄い絶縁シートより構成しているので、加工が容易であり、加工が容易な絶縁体を使うことで熱絶縁もできるため、板金などで製作された従来の隔壁とは違い、熱遮蔽の効果が大きい。特に絶縁体の一部に絞り込みを入れる加工も、簡単な型で製作可能であり、コスト削減にもなる。
【００２１】
図３は、本発明の実施形態に係る電力変換装置の構成を示す断面図（その１）であり、直方体形状の箱体１の前面カバー２に押し込み冷却ファン１８が配置され、該冷却ファン１８により押し込まれた空気は放熱フィン１６を通り、絶縁体から成る隔壁７により、電気部品２６ｃ，２６ｂに風を当てないようにして、背面カバー３側へ排気される。
【００２２】
本実施形態では、箱体１の前室側に配置された半導体素子１０が放出する熱の温度は、箱体１の後室側に配置された電気部品２６ｂ〜ｄが放出する熱の温度よりも高いため、半導体素子１０が放出する熱を冷却する放熱フィン１６で暖められた空気の熱が、箱体内部の熱的に弱い電気部品２６ｃ，２６ｂに伝わらないように隔壁７により熱を遮断する。
【００２３】
図４は、本発明の実施形態に係る電力変換装置の構成を示す断面図（その２）であって、図３に示した断面部とは異なる断面部におけるものであり、直方体形状の箱体１の前面カバー２に押し込み冷却ファン１８が配置され、該冷却ファン１８により押し込まれた空気は（一次）放熱フィン１６を通り、絶縁体から成る隔壁７により、発熱量の大きい電気部品２６ｄが取り付けられた二次放熱フィン１７に風を流して、背面カバー３側へ排気される。
【００２４】
上記で説明した半導体パッケージは、もっぱらＳｉＣ（炭化ケイ素）を用いて構成されたＳｉＣ半導体パッケージを使用する例について示したが、他の半導体素子、例えば、窒化ガリウムやダイアモンドなどを用いた高耐熱性を有するワイドバンドギャップ半導体素子で構成される半導体パッケージに適用するようにしても同じ効果を奏するものである。
【符号の説明】
【００２５】
１  箱体
２  前面カバー
３  背面カバー
６  側面カバー
７、２７  隔壁
８  絞り込み部
１０  半導体素子
１６  (一次)放熱フィン
１７  二次放熱フィン
１８  押し込み冷却ファン
２６、２６ａ〜２６ｄ  電気部品
２８  プリント基板
【図１】
2016046928.tif 000003
【図２】
2016046928.tif 000004
【図３】
2016046928.tif 000005
【図４】
2016046928.tif 000006
【図５】
2016046928.tif 000007
【図６】
2016046928.tif 000008